(57)【特許請求の範囲】
【請求項１】
傘の傘布に付着する雨のしずくを吸収して除去するしずく取り除き具であって、
閉じられた前記傘の先端側から柄側に向かい前記傘布の表面に直接接触して移動し、前記傘布の表面に付着したしずくが吸水可能な繊維素材よりなり、前記傘布に直接保持される第１の吸水部材と、
前記傘の先端の石突に直接嵌装され、前記傘布の表面から垂れ落ちるしずくが吸水可能な繊維素材よりなる第２の吸水部材から構成され、
前記第１の吸水部材は、閉じられた前記傘の先端側から挿入されて前記傘布の表面に直接接触しながら前記柄側に向かって移動可能な円柱筒体であり、
前記第２の吸水部材は、前記傘の先端側から挿入されて前記石突に嵌装可能な円錐台筒体であり、
前記円柱筒体及び前記円錐台筒体は、前記傘の径方向に対して伸び縮み可能であるとともに、前記円柱筒体の内部に、前記円錐台筒体が着脱可能に収納されており、
前記円柱筒体の内部に前記円錐台筒体を収納した状態で、前記円柱筒体が、閉じられた前記傘の先端側から挿入されて前記柄側に向かって移動すると、前記円柱筒体の内部に収納された前記円錐台筒体が、前記円柱筒体より離脱して前記円錐台筒体が前記石突に直接嵌装されることを特徴とする傘用しずく取り除き具。
【発明の詳細な説明】
【技術分野】
【０００１】  この発明は、濡れた傘を閉じた際に付着した雨のしずくの飛散を防ぐことができる傘用しずく取り除き具に関する。
【背景技術】
【０００２】  近年、百貨店など公共の場所においては、使い捨てのプラスチック袋を用意し、それに傘を収容して店内などで携帯するようになっているが、プラスチック袋は薄いために使用中に破れて水が漏れ出すことも多く、使用後には捨てられるため、袋の回収が煩雑で資源の無駄使いになる。【０００３】  また、何度も使えるようにやや厚めのプラスチック袋に傘全体を挿入して、衣服等が傘のしずくで濡れないようにしているが、この袋から傘を抜いたとき、傘にはしずくが残ったままで、しかも、袋内にもしずくが溜まったままになっている。
そこで、特許文献１及び特許文献２のように傘全体が挿入される傘袋の内側に吸水性のあるスポンジとか、パイル布地を装着させて傘に付着したしずくを吸収するものがいくつか提案されている。
【先行技術文献】
【特許文献】
【０００４】
【特許文献１】特開平１１−２１３号公報
【特許文献２】特開２０１３−１２１４５６号公報
【発明の概要】
【発明が解決しようとする課題】
【０００５】  従来このような濡れ傘用の傘袋では、次のような課題が存在していた。
すなわち、内側にスポンジとかパイル布地が装着された傘袋では、はスポンジ、パイル布地のために折畳むことが難しく、折畳めたとしても嵩張り、持ち運びが容易にできないという難点があった。【０００６】  また、しずくを吸収したスポンジやパイル布地を乾燥させるため絞って脱水するには手間がかかり、十分に乾燥がなされないとカビが発生して悪臭を原因となることもある。【０００７】  この発明は、以上のような課題を解決するためになされたもので、雨傘に付着した水を確実に吸収することができ、且つ手を濡らすことがなく、容易に雨傘に装着することのできる傘用しずく取り除き具を提供することを目的とする。
【課題を解決するための手段】
【０００８】  上述した課題を解決し、かつ目的を達成するために、この発明は以下のように構成した。【０００９】  請求項１に記載の発明は、傘の傘布に付着する雨のしずくを吸収して除去するしずく取り除き具であって、
閉じられた前記傘の先端側から柄側に向かい前記傘布の表面に直接接触して移動し、前記傘布の表面に付着したしずくが吸水可能な繊維素材よりなり、前記傘布に直接保持される第１の吸水部材と、
前記傘の先端の石突に直接嵌装され、前記傘布の表面から垂れ落ちるしずくが吸水可能な繊維素材よりなる第２の吸水部材から構成され、
前記第１の吸水部材は、閉じられた前記傘の先端側から挿入されて前記傘布の表面に直接接触しながら前記柄側に向かって移動可能な円柱筒体であり、
前記第２の吸水部材は、前記傘の先端側から挿入されて前記石突に嵌装可能な円錐台筒体であり、
前記円柱筒体及び前記円錐台筒体は、前記傘の径方向に対して伸び縮み可能であるとともに、前記円柱筒体の内部に、前記円錐台筒体が着脱可能に収納されており、
前記円柱筒体の内部に前記円錐台筒体を収納した状態で、前記円柱筒体が、閉じられた前記傘の先端側から挿入されて前記柄側に向かって移動すると、前記円柱筒体の内部に収納された前記円錐台筒体が、前記円柱筒体より離脱して前記円錐台筒体が前記石突に直接嵌装されることを特徴とする傘用しずく取り除き具。
【発明の効果】
【００１４】  前記の構成により、この発明は以下の効果を有する。【００１５】  請求項１に記載の発明では、閉じられた前記傘の先端側から柄側に向かい前記傘布の表面に直接接触して移動し、前記傘布の表面に付着したしずくが吸水可能な繊維素材よりなり、前記傘布に直接保持される第１の吸水部材と、
前記傘の先端の石突に直接嵌装され、前記傘布の表面から垂れ落ちるしずくが吸水可能な繊維素材よりなる第２の吸水部材から構成され、傘を閉じた際に傘布に付着したしずくが他人の衣服に接触して迷惑を掛けることがなく、しかも、傘布から垂れ落ちるしずくが室内の床面を濡らすることがなくなる。また、傘を回転させながら第１の吸水部材を握り、傘の先端側から傘の柄側に向かい傘の傘布の表面に直接接触して移動させると手を濡らすことなく傘布を巻き束ねることが容易にできる。また、第１の吸水部材である円柱筒体の内部に、第２の吸水部材である円錐台筒体が着脱可能に収納される構成であり、２部材の簡単な構造で、しかも、円錐台筒体と円柱筒体とは同じ繊維素材よりなり、円筒筒体に円錐台筒体が確実に保持されて抜け落ち難く、傘の手元とかに取付けるなどして容易に携帯ができる。
【図面の簡単な説明】
【００２１】
【図１】この発明の傘用しずく取り除き具の使用状態を示す側面図。
【図２】この発明の第１の実施の態様の傘用しずく取り除き具において、（ａ）は外側吸水部材を示す側面図、（ｂ）は内側吸水部材を示す側面図。
【図３】この発明の第１の実施の態様の傘用しずく取り除き具において、（ａ）は外側吸水部材に内側吸水部材を収納した状態を示す側面図、（ｂ）はその平面図。
【図４】この発明の第１の実施の態様の傘用しずく取り除き具において、繊維の素材を示す平面図。
【図５】この発明の第２の実施の態様の傘用しずく取り除き具において、（ａ）は外側吸水部材を示す側面図、（ｂ）は内側吸水部材を示す側面図。
【発明を実施するための形態】
【００２２】  以下、この発明の傘用しずく取り除き具の実施の形態について説明する。この発明の実施の形態は、発明の最も好ましい形態を示すものであり、この発明はこれに限定されない。
【００２３】  本願発明の第１の実施の形態を、図１乃至図４に基づいて説明する。図１は閉じた状態の傘１を示すもので、傘１は一端に手元２を、先細の他端に石突３を、さらにビニール材または、布材よりなる傘布４を備える。
【００２４】  符号５は、繊維、プラスチック等の伸縮性と吸水性とを兼ね備えた複合の素材Ｆａによりしずくを吸収するしずく取り除き具である。この傘用しずく取り除き具５は、閉じられた前記傘１の前記傘布４に挿通される外側吸水部材６と、前記傘１の前記石突３に嵌装される内側吸収部材８とを備える。
【００２５】  なお、前記素材については、使い捨て紙おむつ等で使われている不織布、プラスチックフイルム、吸水性ポリマー等を組み合わせた材料にしてコスト低減を図ることもできる。
【００２６】  前記外側吸収部材６は前記傘布４が挿通できるような開口７ａを有する筒体７よりなり、この筒体７は径方向に伸縮性があり、軸方向を上部７ｂと下部７ｃとに区切り、前記下部７ｃの径方向の伸縮力を前記上部７ｂの径方向の伸縮力より強くすると、前記筒体７の前記上部７ｂでは吸収されなかったしずくを前記傘布４の表面に強く密着した前記筒体７の前記下部７ｃにより吸収し、傘の下方へ垂れ落ちるしずくを抑制できる。
【００２７】  前記外側吸水部材６の前記筒体７の前記開口７ａに前記傘１の先端の前記石突３を挿入し、前記傘１を回転させながら前記筒体７を前記傘１の下部から上部に移動させて前記傘布４を巻き束ねる。
【００２８】  なお、前記筒体７の前記開口７ａの内径を前記上部７ｂから前記下部７ｃまで同一にしたが、前記下部７ｃの内径を前記上部７ｂの内径より大きくしてもよく、このようにすると、前記下部７ｃの径方向の伸縮力が、前記上部７ｂの径方向の伸縮力より強いことと相まって、前記筒体７が前記傘布４に均一に密着するようになり、前記傘布４に付着したしずくを確実に吸収できる。
【００２９】  また、前記上部７ｂの内径を前記下部７ｃの内径より大きくすると、先細の前記傘１の先端の前記石突３は簡単に挿入され、前記傘１を回転させながら前記筒体７の上方への移動が容易にできる。
【００３０】  前記内側吸水部材８は先端が前記石突３のみが突出できる開口９ａを有する逆円錐台体９よりなり、この逆円錐台体９は径方向に伸縮性があり、軸方向を上部９ｂと下部９ｃとに区切って、前記下部９ｃの径方向の伸縮力を前記上部９ｂの径方向の伸縮力より強くして、前記石突３より上方の前記傘布４の表面への密着性を高め、前記傘布４の表面のしずくの吸収を充分にさせるとともに、前記内側吸収部材８は前記傘布４の表面から垂れ落ちるしずくを吸収するようにしている。
【００３１】  また、前記逆円錐台体９の先端を前記石突３のみが突出できる開口９ａにされているので、前記逆円錐台体９が前記石突３付近で規制されることになり、前記内側吸水部材８の前記逆円錐台体９が前記外側吸収部材６の前記筒体７につられて移動することはなく、前記内側吸水部材８の逆円錐台体９の取り付けが容易にできる。
【００３２】  更に、前記逆円錐台体９の下部９ｃの前記開口９ａより前記傘１の前記石突３が突出され、前記円錐台体９が床面に直接接触しなくなり、前記先端部材７の汚れや破損を防いでいる。
【００３３】  前記内側吸水部材８の前記逆円錐台体９の前記上部９ｂの外径（例えば４０ｍｍ〜６０ｍｍ程度）を前記外側吸水部材６の前記筒体７の前記上部７ｂの前記開口７ａの内径（例えば５０ｍｍ〜７０ｍｍ程度）以下に設定し、かつ、前記内側吸水部材８の前記逆円錐台体９の軸方向の全長を前記外側吸水部材６の前記筒体７の軸方向の全長（例えば８０ｍｍ〜１３０ｍｍ程度）以内にし、図３に示すように前記内側吸水部材８を前記外側吸水部材６内に収納させる。
【００３４】  前記内側吸水部材８を前記外側吸水部材６内に収納されると、前記内側吸水部材８の前記逆円錐台体９は前記外側吸水部材６の前記筒体７の伸縮力により確実に保持されて抜け落ち難くなっているので、前記筒体７をストラップ（図示せず）等により前記傘１の前記手元２とかに取付けるなどして容易に携帯ができる。
【００３５】  図４の符号Ｆａは、この発明のしずく取り除き具５の伸縮性と吸水性とを兼ね備えた繊維よりなる複合の素材Ｆａを示し、この素材Ｆａは縦方向中央より上半と下半に分けて繊維の織り方を変え、上半に対して下半の伸縮力が強くしてある。
【００３６】  このような前記素材Ｆａの上半と下半のそれぞれの中央を折目１０とし折り合い、上端縁と下端縁とを接合して二重の周壁よりなる前記筒体７または前記逆円錐台体９が形成され、前記筒体７は前記上部７ｂに対して前記下部７ｃの伸縮力が強くなり、同様に前記逆円錐台体９も前記上部９ｂに対して前記下部９ｃの伸縮力が強くなる。
【００３７】  前記筒体７または前記逆円錐台体９における柔軟な前記素材Ｆａを二重すると、前記素材Ｆａの内側から浸透するしずくが重ねられてできる隙間で一旦留まり、しずくが外側に滲み出ることを抑制できる。しかも、前記筒体７と前記逆円錐台体９とは同じ材質の素材を共用することができ、材料費のコストダウンを図ることになる。
【００３８】  次に、第２の実施の形態を図５に基づいて説明する。この実施の形態において第１の実施の形態と同じ構成は同一の符号を付して説明する。
【００３９】  この第２の実施の形態においては、第１の実施の形態の吸水性と伸縮性を兼ね備えた複合の前記素材Ｆａと異なり、吸水性と伸縮性を個々に有する繊維、プラスチック等の吸水性素材Ｆｂと伸縮性素材Ｆｃよりなる。
【００４０】  前記外側吸収部材６の前記筒体７の内周を吸水性素材Ｆｂとし、外周を伸縮性素材Ｆｃとして、吸水性素材Ｆｂが伸縮性素材Ｆｃの径方向の伸縮力により前記傘布４の表面に密着し、前記傘布４の表面に付着したしずくを吸収する。
【００４１】  また、前記内側吸水部材８の前記逆円錐台体９は前記外側吸水部材６の前記筒体７と同じように内周を吸水性素材Ｆｂとし、外周を伸縮性素材Ｆｃとし、前記逆円錐台体９の径方向の伸縮力で、前記石突３より上方の前記傘布４の表面への密着性を高め、しずくの吸収が充分にでき、しかも、前記傘布４の表面から垂れ落ちるしずくを吸収する。
【００４２】  また、前記逆円錐台体９の径方向の伸縮力と、前記逆円錐台体９の先端内径を前記石突３のみが突出できる開口９ａとにより、前記内側吸水部材８の前記逆円錐台体９が前記石突３付近で規制されることになり、前記内側吸水部材８が前記外側吸収部材６につられて移動することはなく、前記逆円錐台体９の取り付けが容易にできる。しかも、前記逆円錐台体９の前記開口９ａから前記石突３が突出するので、前記内側吸水部材８が床面により汚れたり、擦れたりして破損することがない。
【００４３】  前記外側吸水部材６の前記筒体７及び前記内側吸水部材８の前記逆円錐台体９は吸水性素材Ｆｂを折りたたみ重ね合わせて二重にして、しずくが外側に滲み出ることを抑制する。
なお、積層する吸水性素材Ｆｂと伸縮性素材Ｆｃを一体化してもよいし、また、前記素材については、使い捨て紙おむつ等で使われている不織布、プラスチックフイルム、吸水性ポリマー等を組み合わせた材料にしてコスト低減を図ることもできる。
【００４４】  以上の構成によるこの発明の傘用しずく取り除き具において、雨中で使用し、閉じられた前記傘１の下部より前記しずく取り除き具５を挿入し、前記傘１を回転させながら前記しずく取り除き具５の前記外側吸水部材６を上方に移動させると、前記傘１の前記傘布４に付着したしずくを前記外側吸水部材６が吸収するともに、前記傘布４を巻き束ね前記傘布４のバタツキをなくする。
【００４５】  このように、外側吸水部材６を握って移動させることにより、手を濡らさないで前記傘布４の表面のしずくを除き、前記傘布４を巻き束ねることができる。
また、前記傘布４の表面に付着したしずくを吸収することで、床面を濡らし汚すことがなくなり、しかも、前記外側吸水部材６の前記筒体７の前記下部７ｃの強い伸縮力により、前記外側吸水部材６は前記傘布４の巻きを保ったままで前記外側吸水部材６のずり落が防止できる。
【００４６】  前記外側吸水部材６に収納されている前記内側吸水部材８は、前記内側吸水部材８の前記逆円錐台体９が前記石突３付近で規制されることになり、前記内側吸水部材８が前記外側吸収部材６につられて移動することはなく、傘への前記しずく取り除き具５が前記傘１へ容易に取り付けできるとともに、前記内側吸水部材８の前記逆円錐台体９により、前記外側吸水部材６で吸収されなくて前記傘布４より垂れ落ちるしずくを吸収できる。
【００４７】  さらに、前記内側吸水部材８の前記逆円錐台体９の下端の前記開口９ａから前記傘１の前記石突３が突出しているので、前記内側吸水部材８が床面により汚れたり、擦れたりして破損することがなく、しかも、前記内側吸水部材８の逆円錐台体９の下部９ｃの強い伸縮力により、前記石突３よりずり落ちることがない。
【００４８】  また、前記外側吸水部材６に収納した前記内側吸水部材８は、前記外側吸水部材６の前記筒体７の上部７ｂと下部７ｃの伸縮力により確実に保持されて抜け落ち難くなっている。しかも、前記外側吸水部材６を前記傘１の前記手元２とかにストラップを介して取付けるなどして容易に携帯ができる。
【産業上の利用可能性】
【００４９】  この発明は、閉じられた傘から垂れ落ちるしずくによって室内の床面を濡らしたり、他人の衣服に接触して迷惑を掛けることがなく、傘に付着したしずくを確実に吸収でき、携帯が容易で使い勝手の良いしずく取り除き具を得ることができる。
【符号の説明】
【００５０】１  傘
２  手元
３  石突
４  傘布
５  しずく取り除き具
６  外側吸水部材
７  筒体
７ａ  開口
７ｂ  上部
７ｃ  下部
８  内側吸水部材
９  逆円錐台体
９ａ  開口
９ｂ  上部
９ｃ  下部
１０  折目
Ｆａ  複合の素材
Ｆｂ  吸水性素材
Ｆｃ  伸縮性素材
【図１】
0005970669.tif 000002
【図２】
0005970669.tif 000003
【図３】
0005970669.tif 000004
【図４】
0005970669.tif 000005
【図５】
0005970669.tif 000006